(57)【要約】【課題】雨水や洗浄水などが支持杆２１に直接にかからないものとなし、また支持杆２１を横外方への張り出し状態から収納状態へ後退変位させる時に他物が支持杆２１に接触し難くなし、さらには支持杆２１が機体のコンパクト化に反することのないものとする。【解決手段】刈取部３の未刈穀稈側に配置される前側分草杆１９と、機台２の未刈穀稈側に配置される後側分草杆２０とを具備し且つ、前側分草杆１９の後端部と後側分草杆２０の前端部とを支持する支持杆２１を機台２から横外方へ張り出し状に設けてなるサイドデバイダ１８を備えたコンバインにおいて、前記機台２の未刈穀稈側の前端部の横向き筒部材２５の外方端部に案内筒部材２４を連通状に固定させ、該案内筒部材２４に前記支持杆２１を左右変位自在に挿通するほか、前記案内筒部材２４よりも機体内方側の前記支持杆２１部分を前記横向き筒部材２５の内方空間内に位置させた構成となす。【選択図】        図２
2004329100.tif 000002
【特許請求の範囲】
【請求項１】
走行部（１）に支持された機台（２）上に脱穀部（５）を設けると共に前記機台（２）の前方に刈取部（３）を前記機台（２）上の横向き支点軸（１４）回りの上下揺動可能に設け、さらに前記刈取部（３）の未刈穀稈側に配置される前側分草杆（１９）と、前記機台（２）の未刈穀稈側に配置される後側分草杆（２０）とを具備し且つ、前記前側分草杆（１９）の後端部と前記後側分草杆（２０）の前端部とを支持する支持杆（２１）を前記機台（２）から横外方へ張り出し可能に設けてなるサイドデバイダ（１８）を備えたコンバインにおいて、前記機台（２）の未刈穀稈側の前端部の横向き筒部材（２５）の外方端部に案内筒部材（２４ａ）を連通状に固定させ、該案内筒部材（２４ａ）に前記支持杆（２１）を左右変位自在に且つ任意位置での固定可能に挿通させるほか、前記案内筒部材（２４ａ）よりも機体内方側の前記支持杆（２１）部分を前記横向き筒部材（２５）の内方空間内に位置させたことを特徴とするコンバインのサイドデバイダ構造。
【請求項２】
走行部（１）に支持された機台（２）上に脱穀部（５）を設けると共に前記機台（２）の前方に刈取部（３）を前記機台（２）上の横向き支点軸回（１４）りの上下揺動可能に設け、さらに前記刈取部（３）の未刈穀稈側の前下部に前端部を係着されて該係着個所から後方へ向け斜め上り横外方張り出し状に延出させた前側分草杆（１９）と、前記機台（２）の前記走行部（１）後部近傍の未刈穀稈側個所に後端部を係着されて該係着個所から前方へ向け略水平状に且つ機体横外方へ張り出し状に延出させた後側分草杆（２０）と、前記機台（２）の未刈穀稈側前端部に装設された支持杆（２１）と、該支持杆（２１）の先端個所に支持され前記前側分草杆（１９）の後端部と前記後側分草杆（２０）の前端部とを折れ曲がり自在に結合させるものとした結合部とからなるサイドデバイダ（１８）を備えたコンバインにおいて、前記機台（２）の水平な横向き筒部材（２５）の外方端部に案内筒部材（２４ａ）を連通状且つ水平状に固定させ、該案内筒部材（２４ａ）に直状の前記支持杆（２１）を出退自在且つ任意位置での固定可能に挿通させてあり、前記案内筒部材（２４ａ）よりも機体内方側の前記支持杆（２１）部分が前記横向き筒部材（２５）の内方空間内に位置されていることを特徴とするコンバインのサイドデバイダ構造。
【請求項３】
前記支持杆（２１）の内方端部に抜け出し規制部材（３２）を設けたことを特徴とする請求項１又は２記載のコンバインのサイドデバイダ構造。
【請求項４】
前記支持杆（２１）に関連して装着されたスプリング（２８）の弾力による係止力で前記支持杆（２１）の左右変位が規制され且つ該規制が指摘み操作のみにより解除される構成とした変位規制手段（２７）を設けたことを特徴とする請求項１、２又は３記載のコンバインのサイドデバイダ構造。
【請求項５】
前記案内筒部材（２４ａ）に固定棒部材（２４ｂ）を固定し、該固定棒部材（２４ｂ）を前記横向き筒部材（２５）の内方に挿入されて締付固定されたことを特徴とする請求項１、２、３又は４記載のコンバインのサイドデバイダ構造。
【請求項６】
前記変位規制手段（２７）が、前記案内筒部材（２４ａ）に内挿されて固定される円筒部（２７ａ）と、該円筒部（２７ａ）に連設されており且つ横向きコ字形となされて両端の起立（２９ａ、２９ｂ）辺部のそれぞれに前記円筒部（２７ａ）の内孔に対応した円透（ｃ１、ｃ２）を形成されており且つ両端の起立片部（２９ａ、２９ｂ）の間に位置した中央辺部（２９ｃ）の長手方向上の二個所に係合孔（ｃ３、ｃ４）を形成されている規制本体部（２９）と、それぞれが前記係合孔（ｃ３、ｃ４）の一つに係着されていて前記内孔に対応した円孔（ｄ１、ｄ２）を形成されている一対の摘み板部材（３０、３１）と、これら摘み板部材（３０、３１）を離反させるスプリング（２８）とを備えており、前記円筒部（２７ａ）の内孔、前記起立片部（２９ａ、２９ｂ）の円透（ｃ１、ｃ２）、及び、一対の摘み板部材（３０、３１）の円孔（ｄ１、ｄ２）に前記支持杆（２１）が挿通されることを特徴とする請求項４記載のコンバインのサイドデバイダ構造。
【発明の詳細な説明】
【０００１】
【発明の属する技術分野】
本発明は、コンバインのサイドデバイダに関する。
【０００２】
【従来の技術】
走行部に支持された機台上に脱穀部を設けると共に、前記機台の前方に刈取部を前記機台上の横向き支点軸回りの上下揺動可能に装設するほか、前記刈取部及び前記走行部の側部に添わせてサイドデバイダを形成したコンバインは存在している。
上記サイドデバイダには種々の構造のものが存在しているが、構造の簡易なものとしては特許文献１に開示されているようなものが存在している。
即ち、刈取部の未刈穀稈側の前下部に前端部を係着されて該係着個所から後方へ向け斜め上り横外方張り出し状に延出させた前側分草杆と、前記機台の走行部後部近傍の未刈穀稈側個所に後端部を係着されて該係着個所から前方へ向け略水平状に且つ機体横外方へ張り出し状に延出させた後側分草杆とを具備すると共に、前記機台の未刈穀稈側前端部に支持杆を前記機台横外方へ向け張り出し状に且つ左右方向の出退変位可能に装設し、該支持杆の先端個所に前記前側分草杆の後端部と前記後側分草杆の前端部とを折れ曲がり自在に結合させた結合部を支持させている。
【０００３】
そして、前記機台の未刈穀稈側個所の前端部に横向き状の案内筒部材を固着し、該案内筒部材に前記支持杆を左右方向の変位自在に挿通させ、一方では前記案内筒部材に締結ボルトを螺着し、該締結ボルトの回し操作で前記案内筒部材に対する前記支持杆の左右方向の位置が固定され或いは左右変位可能状態に解放される構成となされている。
【０００４】
【特許文献１】
実公平６−４９１５８号公報
【０００５】
【発明が解決しようとする課題】
上記した在来のサイドデバイダでは、雨水や洗浄水などが前記支持杆に直接にかかる状態にあって前記支持杆が腐食し易いのであり、また前記支持杆を横外方への張り出し状態から収納状態へ後退変位させる時に前記支持杆に他物が接触して収納させ難いことが生じるのであり、さらには前記支持杆を収納状態にした時に前記支持杆や前記案内筒部材が存在するための空間が必要となって機体のコンパクト化に反するものとなる。
また機台の前端部に前記支持杆を支持させるため、該支持杆は、サイドデバイダへかかる分草時の負荷を担うに必要な強度を要求される。
本発明は、斯かる実情に対処し得るコンバインのサイドデバイダ構造を提供することを目的とする。
【０００６】
【課題を解決するための手段】
上記目的を達成するため、請求項１に記載した発明は、走行部（１）に支持された機台（２）上に脱穀部（５）を設けると共に前記機台（２）の前方に刈取部（３）を前記機台（２）上の横向き支点軸（１４）回りの上下揺動可能に設け、さらに前記刈取部（３）の未刈穀稈側に配置される前側分草杆（１９）と、前記機台（２）の未刈穀稈側に配置される後側分草杆（２０）とを具備し且つ、前記前側分草杆（１９）の後端部と前記後側分草杆（２０）の前端部とを支持する支持杆（２１）を前記機台（２）から横外方へ張り出し可能に設けてなるサイドデバイダ（１８）を備えたコンバインにおいて、前記機台（２）の未刈穀稈側の前端部の横向き筒部材（２５）の外方端部に案内筒部材（２４ａ）を連通状に固定させ、該案内筒部材（２４ａ）に前記支持杆（２１）を左右変位自在に且つ任意位置での固定可能に挿通させるほか、前記案内筒部材（２４ａ）よりも機体内方側の前記支持杆（２１）部分を前記横向き筒部材（２５）の内方空間内に位置させた構成としている。
【０００７】
この発明では、前記支持杆（２１）が機体外方への張り出し量を増大されるように操作されると、前記前側分草杆（１９）の後端部と前記後側分草杆（２０）の前端部とがこれに連動して機体外方へ変位されるのであり、これにより前記前側分草杆（１９）及び前記後側分草杆（２０）は未刈穀稈を機体から離れる側へ前記支持杆（２１）の張り出し長さの増大に応じた量だけ大きく押し寄せるように作用する。逆に、前記支持杆（２１）が機体内方へ向けて操作されると、前記前側分草杆（１９）の後端部と前記後側分草杆（２０）の前端部とがこれに連動して機体内方へ変位されるのであり、これにより前記前側分草杆（１９）及び前記後側分草杆（２０）は未刈穀稈を機体から離れる側への、前記支持杆（２１）の張り出し長さの減少に応じて、その減少量だけ小さく押し寄せるように作用する。
【０００８】
そして、前記前側分草杆（１９）や前記後側分草杆（２０）などからなる前記サイドデバイダ（１８）の不使用時には、前記支持杆（２１）は前記案内筒部材（２４ａ）に案内されて機体内方側へ変位させられてサイドデバイダ（１８）は収納状態となされる。前記支持杆（２１）の機体内方側への変位により前記案内筒部材（２４ａ）よりも機体内方側に位置した前記支持杆（２１）部分は、前記横向き筒部材（２５）の内方空間内に位置されて他物と接触するものとならず、しかも土砂や洗浄水や雨水などが直接にかからない状態となる。また前記横向き筒部材（２５）は前記機台（２）の前部を形成しており、本来的に必要なものとして機能し、前記機台（２）に付加的に組み込まれるものでないものとなる。
【０００９】
請求項２に記載した発明は、走行部（１）に支持された機台（２）上に脱穀部（５）を設けると共に前記機台（２）の前方に刈取部（３）を前記機台（２）上の横向き支点軸（１４）回りの上下揺動可能に設け、さらに前記刈取部（３）の未刈穀稈側の前下部に前端部を係着されて該係着個所から後方へ向け斜め上り横外方張り出し状に延出させた前側分草杆（１９）と、前記機台（２）の前記走行部（１）後部近傍の未刈穀稈側個所に後端部を係着されて該係着個所から前方へ向け略水平状に且つ機体横外方へ張り出し状に延出させた後側分草杆（２０）と、前記機台（２）の未刈穀稈側前端部に装設された支持杆（２１）と、該支持杆（２１）の先端個所に支持され前記前側分草杆（１９）の後端部と前記後側分草杆（２０）の前端部とを折れ曲がり自在に結合させるものとした結合部とからなるサイドデバイダ（１８）を備えたコンバインにおいて、前記機台（２）の水平な横向き筒部材（２５）の外方端部に案内筒部材（２４ａ）を連通状且つ水平状に固定させ、該案内筒部材（２４ａ）に直状の前記支持杆（２１）を水平な機体左右方向への変位自在且つ任意位置での固定可能に挿通させ、前記案内筒部材（２４ａ）よりも機体内方側の前記支持杆（２１）部分が前記横向き筒部材（２５）の内方空間内に位置されている構成となす。
【００１０】
この発明によれば、前記サイドデバイダ（１８）について、請求項１記載の発明と同様な作用が得られる。また前記支持杆（２１）は水平な機体左右方向へ変位されるため、前記前側分草杆（１９）や前記後側分草杆（２０）の高さが変わることなくこれらの張り出し量が変化されるものとなる。また前記支持杆（２１）は水平な機体左右方向へ変位されるため、前記横向き筒部材（２５）も水平なもので済むものとなり、既存のコンバインの横向き筒部材（２５）の利用が可能となる。
【００１１】
上記した各発明は次のように具体化するのがよい。
即ち、請求項３に記載したように、前記支持杆（２１）の内方端部に抜け出し規制部材（３２）を設けた構成となす。これによれば、前記支持杆（２１）が制限位置を超えて機体外方へ変位されるのを前記規制部材（３２）が規制するものとなり、したがって前記支持杆（２１）を何らの注意もせずに機体外方へ引き出し操作しても、前記支持杆（２１）が前記案内筒部材（２４ａ）から抜け出ることの生じないものとなる。
【００１２】
また請求項４に記載したように、前記支持杆（２１）に関連して装着したスプリング（２８）の弾力による係止力で前記支持杆（２１）の左右変位が規制され且つ該規制が指摘み操作のみにより解除される構成とした変位規制手段（２７）を設けた構成となす。これによれば、前記変位規制手段（２７）が指により摘み操作されたとき規制作用が解除されて、前記支持杆（２１）は機体左右方向の変位可能となり、一方、前記変位規制手段（２７）が自由状態となされたとき、スプリング力により前記支持杆（２１）の左右変位が規制されるのであり、したがって前記支持杆（２１）の左右方向の変位及び前記支持杆（２１）の固定が簡易に行われるようになる。
【００１３】
また請求項５に記載したように、前記案内筒部材（２４ａ）に固定棒部材（２４ｂ）を固定し、該固定棒部材（２４ｂ）を前記横向き筒部材（２５）の内方に挿入して締付固定した構成となす。これによれば、前記案内筒部材（２４ａ）が前記固定棒部材（２４ｂ）を殆ど外観部に現させないで前記横向き筒部材（２５）に固定されるものとなり、また前記支持杆（２１）の取り外しも前記案内筒部材（２４ａ）を前記横向き筒部材（２５）から取り外すことにより行われるものとなる。
【００１４】
さらには請求項６に記載したように、前記変位規制手段（２７）が、前記案内筒部材（２４ａ）に内挿されて固定される円筒部（２７ａ）と、該円筒部（２７ａ）に連設されており且つ横向きコ字形となされて両端の起立辺部（２９ａ、２９ｂ）のそれぞれに前記円筒部（２７ａ）の内孔に対応した円透（ｃ１、ｃ２）を形成されており且つ両端の起立片部（２９ａ、２９ｂ）の間に位置した中央辺部（２９ｃ）の長手方向上の二個所に係合孔（ｃ３、ｃ４）を形成されている規制本体部と、それぞれが前記係合孔（ｃ３、ｃ４）の一つに係着されていて前記内孔に対応した円孔を形成されている一対の摘み板部材（３０、３１）と、これら摘み板部材（３０、３１）を離反させるスプリング（２８）とを備えており、前記円筒部（２７ａ）の内孔、前記起立片部（２９ａ、２９ｂ）の円透（ｃ１、ｃ２）、及び、一対の摘み板部材（３０、３１）の円孔（ｄ１、ｄ２）に前記支持杆（２１）が挿通される構成となす。
【００１５】
これによれば、一対の摘み板部材（３０、３１）が自由状態となされているとき、該一対の摘み板部材（３０、３１）はスプリング力により離反され、各摘み板部材（３０、３１）の円孔（ｄ１、ｄ２）の内周面の角状周縁が前記支持杆（２１）の外周面に圧接され、前記支持杆（２１）の機体左右方向変位が規制されるのであり、一方、一対の摘み板部材（３０、３１）が指により摘み操作されてスプリング力に抗して近接されると、各摘み板部材（３０、３１）の円孔（ｄ１、ｄ２）は前記支持杆（２１）の外周面への圧接を解除され、前記支持杆（２１）の機体左右方向変位が許容されるものとなる。
【００１６】
【発明の実施の形態】
図１〜図１４は本発明に係るコンバインに関するもので、図１は左側面図、図２は平面図、図３は正面図、図４は一部側面図、図５は要部の正面視断面図、図６は上記要部を上方から見た図、図７は図５の一部を拡大した図、図８は上記要部を上方から見た図、図９は上記コンバインから取り外されたサイドデバイダを示す図、図１０は機体左側を示す斜視図、図１１は機体を右前方から見た図、図１２及び図１３はエンジンケーシング周辺を見た図、図１４は側面カバーを見た図である。
【００１７】
図１〜図３において、１は左右一対の走行クローラ１ａ、１ｂからなる走行部、２は走行部１に支持された機台、そして、３は機台２の前部に設けた刈取部である。機台２上には運転操作部４、脱穀部５、排藁処理部６及び穀粒タンク（トップサッカー）７が設けてある。
【００１８】
刈取部３は分草板８、穀稈引起こし装置９、掻込み装置１０、刈刃装置１１及び縦搬送部１２を備えており、これら全体が、機台２に支持された刈取主フレーム１３ａ及び刈取フレーム１３ｂを介し横向き支点軸１４回りへの上下揺動可能となされ、また分草板８、穀稈引起こし装置９、掻込み装置１０及び刈刃装置１１は一体状に結合されていて、前記刈取主フレーム１３ａの先部の左右各端部箇所に形成された左右揺動機構を介して左右方向の変位可能となされている。
【００１９】
この際、各穀稈引起こし装置９は、後向き斜め上り方向へ単列状に配列されて圃場に植立した各穀稈条列に対し作用するものとなされたタイン９ａ群により穀稈を引き起こすものとなす。掻込み装置１０は刈刃装置１１で刈り取られた穀稈を刈刃装置１１の左右巾中央へ掻き集めて縦搬送部１２へ送り込むもので、左右一対のベルト掻込み部１０ａ、１０ａと、左右一対のスターホイール１０ｂ、１０ｂからなる。縦搬送部１２は刈刃装置１１で刈り取られた刈取穀稈の株元部をフィードチェーン５ａへ向けて挟持搬送する株元側挟持搬送部１２ａと、その刈取穀稈の穂先部を扱室入り口５ｂへ向けて係止搬送する穂先側係止搬送部１２ｂとを具備したものとなされる。１５は扱胴、１６は供給ガイド、１７は排藁カッタである。
【００２０】
上記のように形成されたコンバインは、走行部１の作動により走行し、機体の前進中に分草板８が植立穀稈の条列間を移動して隣接した条列穀稈の絡みを解し、次に穀稈引起こし装置９が、上方へ移動されるタイン９ａによりその対応した条列穀稈を引き起こし、次に刈刃装置１１がこのように引き起こされた穀稈の株元を切断し、次に縦搬送部１２がこうして刈り取られた刈取穀稈を後向き斜め上方へ搬送して脱穀部５に送り込み、次に脱穀部５がこの送り込まれた刈取穀稈を脱穀し、続いてこの脱穀により得られた穀粒や藁片の混合物を選別して精粒を選り出し、この選り出した精粒を穀粒タンク７へ向けて送り出し、一方では排藁処理部６が前記脱穀により生成された排藁を送り込まれてこれを寸断する等の処理を行うように作動する。穀粒タンク７内の穀粒はこれの下方に用意された籾袋内に落下される。
【００２１】
上記コンバインをさらに詳細に説明すると、機体の未刈り穀稈側（左側）の側部にはサイドデバイダ１８が設けてある。該サイドデバイダ１８は刈取部３の側部に設けられた前側分草杆１９と、走行部１の側部に設けられた後側分草杆２０と、機台２前部から横外方へ張り出し状に設けられ前記前側分草杆１９の後端部と前記後側分草杆２０の前端部とを支持する支持杆２１とを備えている。
【００２２】
前側分草杆１９は刈取部３に未刈穀稈が絡み付くのを防止するためのもので、刈取部３の左側の概ね前端下部から脱穀部５へ向けて斜め上り横外方張り出し状に延出されると共に、自身の前端部を任意方向への傾斜自在に保持するための位置保持手段２２で特定位置に支持されている。
【００２３】
該前側分草杆１９は金属管からなる単一条部材１９ａと、該単一条部材１９ａの内孔に摺動変位自在に挿入される比較的小径の金属管で形成された単一条部材１９ｂとからなっている。この際、前者の単一条部材１９ａは前側傾斜部ａ１と、横最外張り出し部を有する後側傾斜部ａ２とを有し、前端部が前述のように位置保持手段２２を介して刈取フレーム１３ｂに位置保持されたものとなされており、また後者の単一条部材１９ｂは後端に上下向きの内孔を有する筒部材ａ３（図８参照）の固着されたものとなされている。
【００２４】
後側分草杆２０は走行部１と脱穀部５に未刈穀稈が絡み付くのを防止するためのもので金属管からなる単一条部材からなっている。該後側分草杆２０は機台２の未刈穀稈側に設けられており、後端部を走行部１の後端近傍となる機台２個所に形成された位置保持手段２３を介して係着され、該係着個所から前方へ向け略水平状に且つ機体横外方への張り出し状に延出されており、前側傾斜部ｂ１、中央略水平部ｂ２、後側傾斜部ｂ３を具備したものとなされている。位置保持手段２３は、機台２の側部に上方視コ字形の支持片２３ａを固着して、該支持片２３ａの前後の外方突出部間に前後向きの支持棒部材２３ｂを架設し、一方で図１０に示すように、後側分草杆２０の後端に環状部材ｂ４を固着し、該環状部材ｂ４を支持棒部材２３ｂに遊嵌させた構成としている。該後側分草杆２０の前端部ｂ５は図４にも示すように扁平状となされていて該扁平状個所に縦向きの透孔が形成されている。
【００２５】
図４、図５及び図７に示すように、支持杆２１は機台２の未刈穀稈側の前端部に左右向きに配置され機台２外方への出退可能に装設されたもので、直状の金属管で形成されている。該支持杆２１は案内筒部材２４ａに挿通されており、該案内筒部材２４ａは機台２の未刈穀稈側の前部を形成した強度部材をなす断面四角状の横向き筒部材２５の外方端部に固定されて、横向き筒部材２５の内孔内である内方空間２５ａと該案内筒部材２４ａの内孔とを連通された状態となされており、該案内筒部材２４ａよりも機体内方側の支持杆２１部分は前記横向き筒部材２５の内方空間２５ａ内に位置されている。この際、案内筒部材２４ａには溝形固定棒部材２４ｂを固着されており、該溝形固定棒部材２４ｂは横向き筒部材２５の内方上部に挿入されて該横向き筒部材２５にボルト２６、２６を介して締付固定されている。
【００２６】
該案内筒部材２４ａの外側には変位規制手段２７が固定されている。該変位規制手段２７は、支持杆２１の左右変位がスプリング２８の弾力により規制され且つ該規制状態が指摘み操作のみにより解除されるものとなされているのであって、具体的には、図７に示すように、前記案内筒部材２４ａに内挿されロックボルトｒ（図８参照）で固定される円筒部２７ａと、該円筒部２７ａに連設されるもので横向きコ字形となされ両端の起立辺部２９ａ、２９ｂのそれぞれに前記円筒部２７ａの内孔に対応した円透ｃ１、ｃ２を形成され両端の起立片部２９ａ、２９ｂの間に位置した中央辺部２９ｃの長手方向上の二個所に機体前後方向へ細長い係合孔ｃ３、ｃ４を形成された規制本体部２９と、それぞれが前記係合孔ｃ３、ｃ４の一つに係着されていて前記円筒部２７ａの内孔に対応した一つの円孔ｄ１、ｄ２を形成されている一対の摘み板部材３０、３１と、これら摘み板部材３０、３１を離反させる前記スプリング２８を備えた構成となされている。この際、円筒部２７ａの内孔、起立片部２９ａ、２９ｂの円孔ｃ１、ｃ２、及び、一対の摘み板部材３０、３１の円孔ｄ１、ｄ２に支持杆２１が挿通される。
【００２７】
図５及び図９に示すように、支持杆２１の内方端部には抜け出し規制部材３２が設けてある。該規制部材３２はリング板部材からなり、横向き筒部材２５の内孔には入り得るが案内筒部材２４ａの内孔は通過できない径となされており、支持杆２１の内方端部に形成された小径ネジ部２１ａに外嵌されて該小径ネジ部２１ａに螺合されたナットで固定されている。
【００２８】
一方、図５及び図１０に示すように、支持杆２１の外方端には前方視コ字形の結合具３３が固着してあり、該結合具３３の上面部３３ａと下面部３３ｂの間個所の前部には後側の単一条部材１９ｂの後端に固着された筒部材ａ３が位置されると共に該筒部材ａ３の内孔に遊挿させたピン部材３４を上面部３３ａと下面部３３ｂの間に架設状に止着しており、また上面部３３ａと下面部３３ｂの間個所の後部には後側分草杆２０の前端部ｂ５が位置されると共に該前端部ｂ５に形成された透孔に遊挿させたピン部材３５を上面部３３ａと下面部３３ｂの間に架設状に止着して、機体左右方向へ図６に示すように出退変位される支持杆２１と、前側分草杆１９及び後側分草杆２０とが円滑に連動変位し得る構造としている。
【００２９】
また図１１に示すように機体の既刈り穀稈側（左側）の側部にもサイドデバイダ３６が設けてある。圃場の中央部を中割刈取作業時には通常の回り刈り時とはちがってコンバインの左右両側へ未刈穀稈が存在する。この場合にこのサイドデバイダ３６が役割をはたす。該サイドデバイダ３６は刈取部３に未刈穀稈が絡み付くのを防止するためのもので、直状の金属管からなり該金属管の後端部を機体中心側へ屈曲させた分草杆３７を備えている。該分草杆３７は刈取部３の右側の概ね前端下部から運転操作部４へ向けて斜め上り横外方張り出し状に延出され、自身の前端部を位置保持手段３８を介して特定位置での任意方向への傾斜変位自在に支持されており、その後端部は運転操作部４下方の機台２部分に下方への張り出し状に固定されたＵ字形棒部材３９の内方側の空所ｅ内に任意方向への傾斜変位自在に且つ該分草杆３７の長手方向への相対変位自在に挿通されている。
【００３０】
運転操作部４には機台２に支持された箱形のシートコラム兼用のエンジンケーシング４０が形成されており、図１２に示すように、エンジンケーシング４０の上面４０ａには運転座席４１が特定支点軸４２回りの揺動可能に固定されると共に該運転座席４１の後側に燃料タンク４２が配設されている。燃料タンク４２の右側面個所には該燃料タンク４２の内方空間と連通されたチューブ４３ａを縦向きに設けてなる液面計４３が形成されており、該チューブ４３ａ内に流入した燃料の液面が外方から見えるようになされている。なお、図１２は運転座席４１が前倒し状態となっている。
【００３１】
図１３にも示すように、エンジンケーシング４０の外側面４０ｂは開放可能となされており、該外側面４０ｂは燃料タンク４２の側面を被う高さとなされ本体側に脱着可能に止着される側面カバー４４で被われている。該側面カバー４４は図１４に示すように、エンジンケーシング４０の横方に当たる範囲個所を外面板部４５ａと内面板部４５ｂからなる二重壁構造となされると共に外面板部４５ａと内面板部４５ｂとの間個所を密閉状空間となされ、内面板部４５ｂの特定個所に円形透孔ｇ１を有する突出部を形成されると共に内面板部４５ｂの上縁高さ位置で前記密閉状空間の上面壁をなす個所４５ｃに複数の吸気孔ｇ２を形成されて該吸気孔ｇ２を被う藁片などの塵埃侵入阻止用の網体４５ｄを張設され、また内面板部４５ｂの外面個所（後述のエンジン５０と対面する個所）には箱形のフード４６を形成され、さらに液面計４３の横方に当たる個所には縦向きの液面確認用細長窓ｈを形成されたものとなされている。この際、フード４６は前面個所ｉ１のみを開放されている側周面部４６ａと、比較的大きな方形透孔ｉ２を形成された縦面部４６ｂとを有しており、液面確認用細長窓ｈはその全周縁の細幅範囲個所を内側へ９０度程度屈曲されていて液面確認用細長窓ｈ周辺の剛性を増大されている。
【００３２】
側面カバー４４の脱着構造は、機台２の側端面個所の側面カバー４４下辺部近傍に固定された図１１に示す前後一対のフック部材４７、４７と、図１４に示す側面カバー４４の下辺部に固定され前記フック部材４７、４７に係合される前後向きの棒部材４８と、側面カバー４４の内面側上部寄り個所に固定された突出状係止部材４９と、エンジンケーシング４０上面に固設され突出状係止部材４９の係止される図示しない掛止部材とからなり、側面カバー４４の装着状態では、棒部材４８がフック部材４７、４７に位置決めされると同時に突出状係止部材４９がエンジンケーシング４０本体側に掛け止められた状態となり、また側面カバー４４を開放するときは突出状係止部材４９を図示しない前記掛止部材から離脱させて側面カバー４４の液面確認用細長窓ｈ等の上部に指を掛けて外方へ引き側面カバー４４を棒部材４８回りへ揺動させるようになし、また側面カバー４４を機体から分離させるときは側面カバー４４を棒部材４８回りの外方へ大きく揺動させた状態で棒部材４８を上方移動させフック部材４７、４７から抜き出すように操作されるものとなされている。
【００３３】
図１２及び図１３に示すように、エンジンケーシング４０の内方にはエンジン５０が配設されており、該エンジン５０は吸気を清浄化するためのエアクリーナー５１や、シリンダなどを冷却するための送風冷却器５２を備えており、これらエアクリーナー５１や送風冷却器５２はエンジンケーシング４０の外側面側の特定位置に固設されている。
【００３４】
側面カバー４４がエンジンケーシング４０本体側に装着された状態では、内面板部材４５ｂがエンジンケーシング４０の外側面開口をスポンジ部材５３や側面カバーの外周縁に止着された帯ゴム部材５４などのシール部材を介して密状に閉鎖するものとなり、また円形透孔ｇ１がエアクリーナー５１の吸気孔５１ａに密接されると共にフード４６の方形透孔ｉ２がスポンジ部材５３などのシール部材を介して送風冷却器５２の空気流入面５２ａに密状に連通されるものとなされている。この際、エンジン５０の燃焼用空気は燃料タンク４２周辺の空気を吸気孔ｇ２、透孔ｇ１及びエアクリーナー５１を経てエンジン５０のシリンダ内に吸引されるのであり、このとき該燃焼用空気の流れは燃料タンク４２を冷却しその中の燃料の温度上昇を抑制する上で寄与する。同時に運転座席４１下方の空気を吸引することで、エンジンの熱気が運転者に伝わることを防止している。そして、送風冷却器５２を冷却するための空気は送風冷却器５２の機体中心側に在る図示しない冷却ファンの作動により、エンジンケーシング４０の前面４０ｂに形成された空気流入口５５及びダクト４６の前面個所ｉ１、及び方形透孔ｉ２を経て吸引され、続いて送風冷却器５２の空気通路を機体中心側へ通過してエンジン５０のシリンダ周辺に供給されるものとなる。
【００３５】
また図１１に示すように、運転操作部４を支持した機台２部分の最外方の前後向き部材５６には下面が段違い状に低くなる個所ｊが形成されている。該段違い個所ｊには機体の進行時に植立穀稈が引っ掛からないようにするため、低い側である下面個所ｊ１の側外面個所から前向きへ棒部材５７を延出させ、続いて該棒部材５７を上側へ屈曲させてその先端部を高い側である下面個所ｊ２の側外面個所に到達させて固定させている。このように固定された棒部材５７は機台２部分と関連して外周囲を包囲された空所個所５７ａが形成されるのであり、該空所個所５７ａはコンバインをトラックへ積載した場合の固定用ロープ通し孔などとして利用されるものとなる。
【００３６】
また図１１及び図１２に示すように、燃料タンク４２の外側面の後端縁近傍個所には縦向きの支持管５８が固定してあり、該支持管５８の上端に右折進行を知らせる方向指示用のランプ５９ａが固定してある。この際、支持管５８はエンジンケーシング４０の後面よりも後側に突出しないように位置させてあり、またランプ５９ａ側の接続具と嵌合接続される給電側のコード先端に結合された接続具が通過できる程度の内径を有する管部材となされている。なお、脱穀部５の上面左端部には左折進行を知らせる方向指示用のランプ５９ｂが設けられている。
【００３７】
さらに運転操作部４のフロントコラム６０内には機体前部の電装品を制御するコントローラ６１ａが設けてあり、また脱穀部５の前下部には機体中央部の電装品を制御するためのコントローラ６１ｂが設けてあり、さらに排藁処理装置６の近傍には機体後部の電装品を制御するためのコントローラ６１ｃが設けてある。
【００３８】
次に上記サイドデバイダ１８の使用例及び作用などについて説明する。
植立穀稈を機体の左側に位置させて通常の刈取を行うときは、刈取部３の左右位置及び機体左右のサイドデバイダ１８、３６の位置は図３及び図１０に示すほか図６中の符号ｍ１個所に示す状態とする。この際、植立穀稈の各条列の位置を刈取部に対し図２中の符号ｐ１で示すように位置させる。この状態の下で、機体を進行させると、最左方の分草板８は未刈穀稈を左右に掻き分けてこれを刈取側と非刈取側とに分草し、このように分草された未刈穀稈は機体の進行に伴って刈取部３の側部を後方へ向けて移動する。この未刈穀稈に対し、前側分草杆１９の前側及び後側傾斜部ａ１、ａ２が漸次高くなりつつ当接して、これら穀稈を次第に大きく機体の横外方へ押し寄せるように作用する。一方、後側傾斜部ａ２の内方側では、縦搬送装置１２が刈取穀稈を起立姿勢から左右向き姿勢に変化させてその株元をフィードチェーン５ａの搬送始端部に送り込むのであり、この際、左側サイドデバイダ１８が大きく張出されているので、刈取穀稈の株元は前側分草杆１９や非刈取側の未刈穀稈と干渉することはない。この後、未刈穀稈が前側分草杆１９の末尾部に達すると、次は後側分草杆２０の前側傾斜部ｂ１に当接しつつ徐々に機体から離れるように若しくは機体からの距離を略同一に保持されたまま後方へ案内され、遂には中央略水平部ｂ２に達する。
【００３９】
この中央略水平部ｂ２は未刈穀稈の概ね機台２高さ位置を横外方に適当な一定距離だけ押すように作用し、未刈穀稈が走行部１で踏み倒されたり走行部１や機台２などに絡み付いて損傷するのを阻止する。さらに機体が進行すると、この未刈穀稈は後側傾斜部ｂ３に達して、未刈穀稈自身の起き上がり力でこれに当接しつつ徐々に機体に近接するように案内され、最終的には後側傾斜部ｂ３から後方へ離れていく。この時点では走行部１や機台２はこの起き上がった未刈穀稈よりも前方に位置しているため、この起きあがった未刈穀稈が走行部１などに絡み付くことは生じない。
上記のような分草作用の下、未刈穀稈のうち刈取側の穀稈は非刈取側の穀稈と絡むことなく的確に刈り取られ搬送され脱穀されるものとなる。なお、図示例のコンバインでは植立穀稈の２条列分が同時に刈り取られる。
【００４０】
このような刈取進行中、機体を後進させることが必要となることがあるが、この場合はサイドデバイダ１８は未刈穀稈に対し前進時とは逆順に案内するのであり、即ち、未刈穀稈は先ず後側分草杆２０の後傾斜部ｂ３に当接して横外方へ次第に大きく押し寄せられ、次に中央略水平部ｂ２に適当な一定距離だけ押されて前側分草杆１９の末尾部に達する。
【００４１】
この末尾部ａ４は機体の後進に伴って、これに案内される未刈穀稈を機体の横外方へ押し寄せたまま刈取部３横側へ案内し、この後、後側及び前側傾斜部ａ２、ａ１がこの未刈穀稈を順次に機体前方へ案内し、この案内過程で、未刈穀稈は機体に徐々に近接し、遂には刈取部３から機体前方へ離れるものとなる。
従って、この後進の場合も未刈穀稈は走行部１や刈取部３に踏み倒されたり絡み付いて損傷するのを効果的に防止される。
【００４２】
上記のようなサイドデバイダ１８の案内作用中、支持杆２１には機体内方へ向かう外力を未刈穀稈から受けるものとなるのであり、該外力は支持杆２１を介して一対の摘み板部材３０、３１に伝達される。このとき、各摘み板部材３０、３１の透孔ｄ１、ｄ２の外周面の隅角部がスプリング２８の弾力で支持杆２１に圧接されているため、各摘み板部材３０、３１と支持杆２１とのスリップは生じないのであり、したがって前記外力は一対の摘み板部材３０、３１を介して規制本体部２９や案内筒部材２４に伝達され、最終的に機台２の横向き筒部材２５に確実に支持されるものとなる。さらに詳細には、支持杆２１を機体内方側へ押圧する外力には摘み板部材３０が対抗し、逆に支持杆２１を機体外方側へ引き出す外力には摘み板部材３１が対抗する。
【００４３】
また植立穀稈を中割り状に刈り取るときは次のように行う。
即ち、機体左右のサイドデバイダ１８、３６や刈取部３の機体に対する位置は図３及び図１０に示すほか図６中の符号ｍ１個所に示す状態とするが、植立穀稈の各条列の位置を刈取部３に対し図２中の符号ｐ２個所に示すように位置させるのであり、この状態で機体を刈取作動させるようにする。この際、機体左側のサイドデバイダ１８は上述と同様に作用し、最右側の分草板８は未刈穀稈を左右に掻き分けてこれを刈取側と非刈取側とに分草し、さらに機体右側のサイドデバイダ３６が、機体の前進に伴って非刈取側の未刈穀稈を横外方へ徐々に大きく押し寄せ、この後は機体自身がサイドデバイダ３６から受け継いだ未刈穀稈を同様な横外方への押し寄せ状態を保持させるのであり、これにより非刈取側の未刈穀稈は走行部１に踏み倒されたり接触して損傷するのを阻止されるものとなる。なお、本実施例のコンバインでは３条列分の植立穀稈が同時に刈り取られる。
【００４４】
また畦際の植立穀稈を刈り取るときは次のように行う。
即ち、支持杆２１を機体右方向へ退入変位させ、前側分草杆１９と後側分草杆２０を図２及び、図６中の符号ｍ２個所に示すような収納姿勢状態にするのである。これには一対の摘み板部材３０、３１を例えば一方の手指でスプリング２８の弾力に抗して摘み操作して近接させるのであり、これにより各摘み板部材３０、３１と支持杆２１との圧接は解除され、支持杆２１は左右方向変位に対する規制力を受けない状態となる。この状態の下で他方の手で結合部３３などを機体内方側へ押すのであり、これにより支持杆２１は案内筒部材２４に案内されつつ機体内方側へ移動し、案内筒部材２４よりも機体中心側となる支持杆２１部分は機台２の横向き筒部材２５の内方空間２５ａ内に挿入されるものとなる。この後、前記一方の手指による一対の摘み板部材３０、３１の摘み操作を解除するのであり、これにより一対の摘み板部材３０、３１はスプリング２８の弾力により離反変位され、各摘み板部材３０、３１の透孔ｄ１、ｄ２の周面の隅角部は、サイドデバイダ１８の使用状態のときと同様に、支持杆２１に圧接され、規制手段２７は支持杆２１の変位を規制した状態となる。
【００４５】
次に刈取部を機台に対して左右変位可能に設けたコンバインで畝際の植立穀稈を刈り取る場合は次のように行うのであって、即ち、刈取部３に機体左方向への操作力を付与して左側へ揺動させることにより刈取部３を左方変位させると共に、図示しない位置固定手段を介してこの位置を保持させる。この際、サイドデバイダ１８は図２に示すような収納状態となす。この後、機体を進行させるのであり、これにより、前後側の分草杆１９、２０は刈取部３が左側へ寄るため機体の進行中、畦に接触するものとならないのであり、特に後側分草杆２０周辺の機体部分が畦と干渉し難くなる。なお、収納された状態のサイドデバイダ１８を使用状態とするには、収納するときの逆の手順を行うようにする。
【００４６】
またサイドデバイダ１８を取り外す必要の生じたときは、ボルト２６、２６を緩めて、案内筒部材２４を横向き筒部材２５から抜き取るのであり、後は、前側分草杆１９の前端部及び、後側分草杆２０の後端部をピンやナットなどを取り外すことにより機体から分離させる。図９は分離後のそれらの状態を示している。
【００４７】
【発明の効果】
以上のように構成した本発明によれば、次のような効果が得られる。
即ち、請求項１に記載したものによれば、支持杆２１を機体左右方向へ水平変位させることにより、前側分草杆１９及び後側分草杆２０の外方張り出し量を高さを変えることなく変化させることができるのであり、またサイドデバイダ１８の収納時には、案内筒部材２４よりも機体内方側に位置した支持杆２１部分が機台２の横向き筒部材２５の内方空間２５ａ内に位置されるため、支持杆２１が他物と接触する事態の生じ難いものとなすことができるのであり、またサイドデバイダ１８の収納時に土砂、洗浄水、雨水などが支持杆２１に直接にかかるのを阻止してその腐食や動作不良の発生を抑制することができるのであり、また機台２の強度部材として本来的に必要な横向き筒部材２５の内方空間内であってこれまで未利用であった個所に支持杆２１が収納されるため、支持杆２１の存在が機体のコンパクト化に抗することのないものとなすことができる。案内筒部材２４を横向き筒部材２５へ連通状に固定されているので支持杆２１の前後方向荷重を案内筒部材２４だけでなく横向き筒部材２５（これは機台２の構造部材であるため十分に強度がある）でも負担することになり強度的に有利である。
【００４８】
請求項２に記載したものによれば、刈取部の未刈穀稈側の前下部に前端部を係着されて該係着個所から後方へ向け斜め上り横外方張り出し状に延出させた前側分草杆１９と、機台２の走行部後部近傍の未刈穀稈側個所に後端部を係着されて該係着個所から前方へ向け略水平状に且つ機体横外方へ張り出し状に延出させた後側分草杆２０とを具備し且つ、機台２の未刈穀稈側前端部に支持杆２１を機台左右方向へ向け出退可能に装設し且つ、該支持杆２１の先端個所に前側分草杆１９の後端部と後側分草杆２０の前端部とを折れ曲がり自在に結合させる結合部３３を支持させてなるサイドデバイダ１８を有するコンバインにおいて、請求項１記載の発明と同様な効果を得ることができるのである。
【００４９】
請求項３に記載したものによれば、支持杆２１を何らの注意もせずに機体外方へ引出し操作しても、支持杆２１が案内筒部材２４ａから抜け出てしまうことのないものとなすことができる。
【００５０】
請求項４に記載したものによれば、変位規制手段２７が指で摘み操作されたときこれによる規制作用を解除されて、支持杆２１が機体左右方向の変位可能となり、一方、変位規制手段２７が摘み操作から解放されて自由状態となされたとき、スプリング力により支持杆２１の左右変位が規制されるものとなり、支持杆２１の左右方向の変位及び支持杆２１の固定が簡易に行われる構造となすことができる。
【００５１】
請求項５に記載したものによれば、案内筒部材２４ａが固定棒部材２４ｂを殆ど外観部に出現させないで横向き筒部材２５に固定される構造となすことができ、また支持杆２１の取外しも案内筒部材２４ａを横向き筒部材２５から取り外すことにより行われる構造となすことができる。
【００５２】
請求項６に記載したものによれば、一対の摘み板部材３０、３１が自由状態となされているとき、該一対の摘み板部材３０、３１がスプリング力により離反されて、各摘み板部材３０、３１の円孔ｄ１、ｄ２の内周面の角状周縁が支持杆２１の外周面に圧接され、該圧接により支持杆２１の機体左右方向変位が規制されるものなり、一方、一対の摘み板部材３０、３１が指により摘み操作されてスプリング力に抗して近接されると、各摘み板部材３０、３１の円孔ｄ１、ｄ２が支持杆２１の外周面への圧接を解除され、該解除により支持杆２１の機体左右方向変位が許容される構造となすことができる。縮み側荷重に抗する摘み板部材３０と伸び側の荷重に抗する板部材３１とをいちどに摘むことができるので、支持杆２１の張出量の伸縮が容易に行える。
【図面の簡単な説明】
【図１】本発明に係るコンバインの左側面図である。
【図２】上記コンバインの平面図である。
【図３】上記コンバインの正面図である。
【図４】上記コンバインの一部側面図である。
【図５】上記コンバインの要部の正面視断面図である。
【図６】上記要部を上方から見た図である。
【図７】図５の一部を拡大した図である。
【図８】上記要部を上方から見た図である。
【図９】上記コンバインから取り外されたサイドデバイダを示す図である。
【図１０】上記コンバインの左側を示す斜視図である。
【図１１】上記コンバインを右前方から見た図である。
【図１２】上記コンバインのエンジンケーシング周辺を見た図である。
【図１３】上記コンバインのエンジンケーシング周辺を見た図である。
【図１４】上記コンバインの側面カバーを見た図である。
【符号の説明】
１  走行部
２  機台
３  刈取部
５  脱穀部
１４  横向き支点軸
１８  サイドデバイダ
１９  前側分草杆
２０  後側分草杆
２１  支持杆
２４ａ  案内筒部材
２４ｂ  固定棒部材
２５  横向き筒部材
２５ａ  内方空間
２６  ボルト
２７  変位規制手段
２７ａ  円筒部
２８  スプリング
２９ａ  起立辺部
２９ｂ  起立辺部
２９ｃ  中央辺部
３０  摘み板部材
３１  摘み板部材
３２  抜け出し規制部材
３３  結合部
ｃ１  透孔
ｃ２  透孔
ｃ３  係合孔
ｃ４  係合孔
ｄ１  円孔
【図１】
2004329100.tif 000003
【図２】
2004329100.tif 000004
【図３】
2004329100.tif 000005
【図４】
2004329100.tif 000006
【図５】
2004329100.tif 000007
【図６】
2004329100.tif 000008
【図７】
2004329100.tif 000009
【図８】
2004329100.tif 000010
【図９】
2004329100.tif 000011
【図１０】
2004329100.tif 000012
【図１１】
2004329100.tif 000013
【図１２】
2004329100.tif 000014
【図１３】
2004329100.tif 000015
【図１４】
2004329100.tif 000016